(57)【特許請求の範囲】
【請求項１】
ゴンドラと、該ゴンドラを移送させる移送手段と、該ゴンドラ内に設置された音響設備とを備え、該音響設備は、該ゴンドラの位置に関連付けされた複数種類の音情報を記録した記録媒体と、該記録媒体に記録された音情報を該ゴンドラの当該位置毎に読み出して音出力する再生手段とを備え、前記ゴンドラの移送速度と、前記再生手段による音情報の再生速度を略同一にして、該ゴンドラの位置に関連付けされた音情報を該ゴンドラの当該位置毎に再生して音出力させることを特徴とするゴンドラ装置。
【請求項２】
前記音情報が環境音、メッセージ及び／又はＢＧＭであることを特徴とする請求項１に記載のゴンドラ装置。
【請求項３】
前記音声情報が前記記録媒体にサイバーフォニック方式で記録され、前記再生手段が前記記録媒体に記録された前記音声情報をサイバーフォニック方式で再生するスピーカーを備え、前記ゴンドラ内に椅子が設置され、該スピーカーは出力される音の焦点が該椅子に座る利用者の頭部付近に位置するように設置されていることを特徴とする請求項１又は２に記載のゴンドラ装置。
【請求項４】
前記ゴンドラが観覧車又はスキーリフトに設けられていることを特徴とする請求項１〜３のいずれかに記載のゴンドラ装置。
【発明の詳細な説明】
【０００１】
【発明が属する技術分野】
この発明は、例えばテーマパーク等に設置された観覧車のゴンドラ内の利用者にそのゴンドラの位置に対応した音情報を提供する音響設備を備えたゴンドラ装置に関するものである。
【０００２】
【従来の技術】
テーマパーク等に設置されている観覧車は、一般に、縦に設置された旋回構造体と、該旋回構造体に取り付けられたゴンドラと、該旋回構造体を回転可能に支える支持構造体と、該旋回構造体を該ゴンドラとともに旋回させる駆動装置と、該駆動装置を制御する制御装置とから構成されている。
【０００３】
該旋回構造体としては、鋼材をリング状に連結し、これと中心の軸受けとを多数のスポーク材で連結して形成した巨大な車輪状の構造体や、多数のアーム体を放射状に設けた構造体などがある。
【０００４】
該旋回構造体には駆動装置が連結され、該駆動装置には制御装置を介して電力が供給されるようになっている。また、観覧車の近くには制御室が設けられ、制御室には制御装置が設置されている。
【０００５】
該旋回構造体の先端又は周囲には多数のゴンドラが取り付けられている。ゴンドラは、筐体と、該筐体の内部に取り付けられた座席とからなり、筐体は扉及び窓を備えている。ゴンドラの内部にはスピーカーが取り付けられ、制御室からの放送が流せるようになっている。
【０００６】
【発明が解決しようとする課題】
ところで、従来の観覧車のゴンドラの音響装置は音情報を制御室から各ゴンドラに一括して供給していたので、全てのゴンドラの利用者は同じ音情報を同時に聞かざるを得なかった。
【０００７】
また、従来の観覧車のゴンドラ内の音響装置は制御室からスリップリングを通して、或いは限定的なFM波を通して各ゴンドラに音情報を伝達していたので、利用者は低質の音情報を聞かざるを得なかった。
【０００８】
この発明は、個々のゴンドラの利用者に対してそれぞれの位置に応じた個別の音情報をできるだけ良い音質で提供できるようにしたゴンドラ装置を提供することを目的とする。
【０００９】
【課題を解決するための手段】
この発明に係るゴンドラ装置は、ゴンドラと、該ゴンドラを移送させる移送手段と、該ゴンドラ内に設置された音響設備とを備え、該音響設備は、該ゴンドラの位置に関連付けされた複数種類の音情報を記録した記録媒体と、該記録媒体に記録された音情報を該ゴンドラの当該位置毎に読み出して音出力する再生手段とを備えていることを特徴とするものである。
【００１０】
ここで、ゴンドラを移送させる移送手段とは、ゴンドラを上方に及び／又は横方向に移動させるものであれば如何なるものでもよく、例えば該ゴンドラが観覧車に設けられているものであれば、該ゴンドラを支持している旋回構造体と、該旋回構造体を駆動する駆動装置の全体をいう。
【００１１】
また、音情報とは、アナウンス、メッセージのみならず、環境音、ＢＧＭその他、音で伝達できる全ての情報をいう。
【００１２】
また、記録媒体としては、例えばＰＣカード、ＣＤ又は録音テープを挙げることができるが、これらの記録媒体に限るものではなく、音情報を記録できるものであれば如何なるものでもよい。また、再生手段は記録媒体に録音された音情報を読み出して音出力させる装置をいい、例えばＰＣカードプレイヤーやＣＤプレイヤー等の再生装置及びスピーカーを含む全体をいう。
【００１３】
また、前記再生手段による音情報の再生では、前記ゴンドラの移送速度と、前記再生手段による音情報の再生速度を略同一にして、該ゴンドラの位置に関連付けされた音情報を該ゴンドラの当該位置毎に再生させて音出力させてもよい。
【００１４】
また、該ゴンドラの位置を検知手段で検知し、その検知の結果得られた位置情報に基づいて該記録媒体から当該位置に応じた音情報を選択して該再生手段で再生させるようにしてもよい。
【００１５】
また、前記音声情報としてサイバーフォニック方式で記録されたものを用い、この音声情報をサイバーフォニック方式で再生するようにしたスピーカーで再生させ、スピーカーから出力される音の焦点が椅子に座る利用者の頭部付近に位置するようにしてもよい。
【００１６】
ここで、サイバーフォニック方式で記録とは、人体模型の耳の位置に2つのマイクを埋め込み、原音を人体模型の振動とともに録音することをいう。また、サイバーフォニック方式で再生するようにしたスピーカーとは、2台のスピーカーを背中合わせにし、一体としたものをいう。
【００１７】
また、前記ゴンドラは遊園地やテーマパーク等の観覧車に設けられているものでもよいし、スキーリフトに設けられているものでもよい。
【００１８】
【発明の実施の形態】
図１はこの発明の一実施の形態に係る観覧車の正面図、図２は図１の観覧車の側面図、図３は図１の観覧車の支持構造体の正面図、図４は図１の観覧車の支持構造体の側面図、図５は図１の観覧車の支持構造体の平面図、図６は図１の観覧車のプラットホームの付近を詳細に示す部分拡大正面図、図７は図１の観覧車の駆動部の付近を詳細に示す部分拡大正面図である。
【００１９】
これらの図に示すように、観覧車は、縦に設置された旋回構造体１０と、旋回構造体１０に取り付けられた多数のゴンドラ１２と、旋回構造体１０を回転可能に支える支持構造体１４と、旋回構造体１０をゴンドラ１２とともに旋回させる駆動装置１６と、駆動装置１６を制御する制御装置（図示せず）とから構成されている。
【００２０】
ここで、旋回構造体１０と支持構造体１４と駆動装置１６と該制御装置とからなる全体がこの発明でいう移送手段となる。
【００２１】
旋回構造体１０は自転車の車輪状をした巨大な構造体からなり、支持構造体１４は複数本の支柱から形成されている。駆動装置１６は偶数個が使用されており、支持構造体１４の支柱に各々対向して取り付けられている。各駆動装置１６は駆動ローラ２０を備えており、対向位置にある駆動装置１６の駆動ローラ２０は旋回構造体１０の最外部（リム部）を挟んでいる。
【００２２】
旋回構造体１０の下部付近に位置するゴンドラ１２の底部の高さ位置で、旋回構造体１０の手前側には支持構造体１４によって支持されたプラットホーム２２がゴンドラ１２の底部の旋回移動軌跡に沿って設けられている。プラットホーム２２の旋回構造体１０の側には安全柵２４が取り付けられ、安全柵２４の間には搭乗口２６が形成されている。
【００２３】
支持構造体１４の中間高さ位置にはテント状の屋根２８，２８が一対、支持構造体１４の足下に空間を形成するように張りめぐらされている。
【００２４】
図８は図１の観覧車のゴンドラの内部を正面側から示す説明図、図９は図１の観覧車のゴンドラの内部を側面側から示す説明図である。ゴンドラ１２は、同図に示すように、密閉空間を形成する筐体３０と、筐体３０内に設置された座席３２と、筐体３０内に設置された音響設備とからなる。筐体３０には利用者が出入りする扉３４と、外の景色を眺めるための窓が設けられ、座席３２は筐体３０の中央付近に向かい合って設置され、音響設備は筐体３０内に分散して設置されている。
【００２５】
音響設備は、座席３２の下に設置されたＰＣカードプレイヤー３８、アンプ３９及びFM受信機４０と、筐体３０の天井の中央下部に設置されたスピーカー４２とからなる。これらの音響設備には、旋回構造体１０の受軸に設置されたスリップリング４６を通して電気が供給されるようになっている。
【００２６】
プラットホーム２２の搭乗口２６を少し過ぎた位置（図６のマルＡで示す位置）にはゴンドラ１２の底部と接する突起が旋回構造体１０の側に向けて設けられ、ゴンドラ１２の下部の裏側にはこの突起によってスイッチが入るリミットスイッチ４４が設置されている。リミットスイッチ４４が入ることによりＰＣカードプレイヤー３８のスイッチが入り、その再生が開始されるようになっている。
【００２７】
ＰＣカードプレイヤー３８によって再生されたプログラム（音声・音楽情報等）は、アンプ３９を経て、ゴンドラ１２内部の座席３２間の上方、すなわちゴンドラ１２の天井の下部に設置されたスピーカー４２から音出力され、利用者はこの出力された音を聞く。
【００２８】
FM受信機４０は、ＰＣカードプレイヤー３８内のポーズ（一時停止機能）回路に接続されて、FM受信機４０が中央制御室等からの放送を受信したときには一時停止するようになっている。
【００２９】
次に、この観覧車の動作、特にその音響装置による音情報の再生について詳細に説明する。
【００３０】
オペレータが機械室で制御装置を操作して駆動装置１６にオイルを供給すると駆動装置１６が動き、駆動装置１６の駆動ローラ２０によって旋回構造体１０が旋回し、旋回構造体１０に取り付けられているゴンドラ１２が旋回構造体１０とともに旋回し、ゴンドラ１２は秒速１０〜３０ｃｍ前後の一定のスピードで移動し始める。
【００３１】
プラットフォーム２２の上でテーマパークの従業員である補助者が再下部に位置するゴンドラ１２の扉３４を開け、利用者はここからゴンドラ１２に乗り込み、補助者が扉３４を閉める。この間、ゴンドラ１２は移動を続けている。
【００３２】
ゴンドラ１２が更に移動すると、ゴンドラ１２の下部の裏側に取り付けられているリミットスイッチがプラットフォーム２２に形成されている突起に当接し、ＰＣカードプレイヤー３８がＰＣカード（記録媒体）に記録されている音情報の再生を開始する。
【００３３】
ＰＣカードに記録してある音情報は、観覧車の一周に要する時間内に終了するように製作し、ＰＣカードプレイヤー３８の再生速度は観覧車の旋回移動速度と略同じにしてある。ＰＣカードに記録してある音情報の再生が全て終了すると、ＰＣカードプレイヤー３８は自動的に停止するように設定してある。
【００３４】
ゴンドラ１２は、一定のスピードで動いているため、スタートから何秒後にどの位置にあるかはあらかじめ正確に想定できる。従って、音情報は、ゴンドラ１２の位置に対応してそれに適した内容を組み込むことができる。
【００３５】
再生される音情報は、環境音、メッセージ、ＢＧＭに分類される。
【００３６】
「環境音」は、ゴンドラ１２の位置（高さ）に応じて、その場にふさわしい外部環境音を再生することにより、閉鎖的なゴンドラ１２の内部において、利用者の開放感や臨場感を高める効果を発揮する。
【００３７】
例えば、図１０に示すように、海辺のテーマパーク内の観覧車であれば、最下位付近（Ａゾーン）では波の音、中間位付近（Ｂ，Ｄゾーン）では海鳥の声、最高位付近（Ｃゾーン）においては風の音等を中心に再生することにより、本来であればほとんど何も聞こえないゴンドラ内において、利用者は海辺の環境をリアルに疑似体験することができる。
【００３８】
さらに、ゴンドラ１２の位置に関わりなく、シンボル的な海洋環境音として、イルカやクジラの声や船の汽笛等を定常的に流すことも考えられる。
【００３９】
「メッセージ」は、テーマパーク全体や周辺環境の周知や特定の広告を行い、利用者の知的充足や行動の動機付け等を促すものである。
【００４０】
例えば、まず「ようこそ○○テーマパークへいらっしゃいました。」というウェルカムメッセージを流す。続いて、園内が見渡せる位置に至ると、○○パークの広さやアトラクションの数等をメッセージに載せることができる。
【００４１】
さらに、最高位付近においては、ゴンドラ１２の高さや遠望できる山やランドマーク等についての情報をガイダンスすることもできる。
【００４２】
ゴンドラ１２が終点（搭乗口）に近づくと、次は園内のどこへ行くべきかを考える利用者も多いと思われる。この状況では、「何処何処では、現在○○（イベント）を開催中です。是非お立ち寄りください。」或いはファーストフード店等のCMを流すことにより、これらの利用者に行動を起こす動機付けを与えることも可能である。
【００４３】
「BGM」は、上述の2種類の情報と組み合わせ、利用者の高揚感を高めるために導入する。環境音やメッセージが最も利用者に効果的に伝わるよう、これらの情報が再生されるタイミングを考慮して製作する。
【００４４】
BGMの特殊な利用方法として、新曲発表等の広告宣伝に利用することも考えられる。
【００４５】
以上の３種類の音情報は、頻繁な変更や一部修正等が想定されるので、「重ね合わせ」や「はめ込み」編集が容易にできるよう、例えば５分単位で分節化して収録しておく。
【００４６】
緊急時や身障者の乗り込み等の際、観覧車は一旦停止する。この時、搭乗中の利用者へ「○○のため、観覧車が一旦停止します。」という緊急放送が確実に行われなくてはならない。
【００４７】
緊急時の放送は、制御室よりＦＭ波を利用する。各ゴンドラ内部のＦＭ受信機４０がこの電波を受信すると、この信号は、ＰＣカードプレイヤー３８内のポーズ回路に送られ、PCカードプレイヤー３８は一時停止する。
【００４８】
緊急放送が終了すると、再びPCカードプレイヤー３８は停止した部分より再生を開始する。
【００４９】
ポーズ回路の代わりにミュート回路を使っても同様の効果は得られるが、ミュートの場合、緊急放送中もプログラムは再生を続けているので、緊急放送終了後は乗車中のゴンドラ１２に限って現在位置とプログラムの内容に誤差が生じる。
【００５０】
各ゴンドラ１２内に再生装置を個別に設置することで、ゴンドラ１２内の音環境はＣＤ音質レベルまで向上するが、通常のスピーカーの代わりにサイバーフォニックスピーカーを採用し、サイバーフォニック録音した音情報を再生すれば、更に一段の音場効果を創出することができる。
【００５１】
ここで、サイバーフォニックスピーカーとは、2台のスピーカーを背中合わせにし、一体としたものをいう。本システムの設計においては、ゴンドラ内の音響効果を実際に検証し、各スピーカーを１５度程度下方に向けた際、最も理想的な音場が創出されることがわかっている。
【００５２】
また、サイバーフォニック録音とは、人体模型の耳の位置に2つのマイクを埋め込み、音源を人体模型の振動とともに録音することをいう。
【００５３】
サイバーフォニックスピーカーでは、通常のステレオ再生も可能であるが、サイバーフォニック録音されたプログラムを再生することにより、ゴンドラの閉鎖空間を超えた音の広がりを演出することが可能になる。
【００５４】
サイバーフォニック録音は、主に環境音とメッセージの録音に利用する。利用者は、ゴンドラ１２の外から波の音や鳥の声が聞こえるので、あたからも外部にいるような開放感や臨場感を得ることができる。
【００５５】
さらに、サイバーフォニックにボディソニックやウーハを組み合わせることで、嵐や雷の環境音等、よりリアルで迫真の音響演出を行うことも考えられる。
【００５６】
ボディソニックとは、利用者の座席に超低周波再生用の特殊スピーカを組み込み、身体を突き上げるような音響効果を創出するものをいう。また、ウーハとは、小型スピーカーの欠点を補うため、特に１５０Ｈｚ以下の低周波帯域の再生に特化したスピーカーである。
【００５７】
なお、上記の実施の形態では再生装置としてＰＣカードプレイヤー３８を使用したが、ＰＣカードプレイヤー３８の代わりにＣＤプレイヤーを設置してもよい。ただし、ＣＤプレイヤーを設置した場合は定期的な点検が必要になる。
【００５８】
また、上記の実施の形態では、再生装置をスタートさせるのにリミットスイッチを使用したが、リミットスイッチの代わりに光センサーを利用することも可能である。また、ポーズ回路に代わってミュート（消音機能）回路を利用してもよい。
【００５９】
【発明の効果】
この発明は、ゴンドラの位置に関連付けされた音情報を該ゴンドラの当該位置毎に再生して音出力するので、ゴンドラの利用者が個々のゴンドラの位置にふさわしい個別の音情報を得ることができる。
【００６０】
そして、ゴンドラの利用者に個々のゴンドラの位置にふさわしい個別の環境音やＢＧＭを提供した場合は、ゴンドラの利用者に快適な音環境を提供することができ、ゴンドラの利用者に快適な時を過ごさせることができるという効果がある。
【００６１】
また、ゴンドラの利用者に個々のゴンドラの位置にふさわしい個別のメッセージ、例えば、景色の解説やテーマパークの案内を提供した場合は、ゴンドラの利用者の知的欲求を満足させたり、テーマパーク内の施設や店舗の利用を促進させたりすることができるという効果がある。
【００６２】
また、この発明は、各ゴンドラに音情報の再生装置を設置しているので、ゴンドラ内の音環境をＣＤ音質レベルまで向上させることができるという効果がある。
【図面の簡単な説明】
【図１】この発明の一実施の形態に係る観覧車の正面図である。
【図２】図１の観覧車の側面図である。
【図３】図１の観覧車の支持構造体の正面図である。
【図４】図１の観覧車の支持構造体の側面図である。
【図５】図１の観覧車の支持構造体の平面図である。
【図６】図１の観覧車のプラットホームの付近を詳細に示す部分拡大正面図である。
【図７】図１の観覧車の駆動部の付近を詳細に示す部分拡大正面図である。
【図８】図１の観覧車のゴンドラの内部を正面側から示す説明図である。
【図９】図１の観覧車のゴンドラの内部を側面側から示す説明図である。
【図１０】ゴンドラの位置と音情報との関係を説明するための説明図である。
【符号の説明】
１０  旋回構造体
１２  ゴンドラ
１４  支持構造体
１６  駆動装置
２０  駆動ローラ
２２  プラットホーム
２４  安全柵
２６  搭乗口
２８  屋根
３０  筐体
３２  座席
３４  扉
３６  窓
３８  ＰＣカードプレイヤー
３９  アンプ
４０  ＦＭ受信機
４２  スピーカー
４４  リミットスイッチ
４６  スリップリング
【図１】
0004781508.tif 000002
【図２】
0004781508.tif 000003
【図３】
0004781508.tif 000004
【図４】
0004781508.tif 000005
【図５】
0004781508.tif 000006
【図６】
0004781508.tif 000007
【図７】
0004781508.tif 000008
【図８】
0004781508.tif 000009
【図９】
0004781508.tif 000010
【図１０】
0004781508.tif 000011